(57)【特許請求の範囲】
【請求項１】
ａ）レンズ鏡筒を有するカメラにおいて、
ｂ）上記カメラ上面よりみて上記カメラの側方に向かうにしたがって上記カメラの厚みが薄くなるカメラ本体と、
ｃ）上記カメラの前面を構成する前カバーと、
ｄ）上記カメラの厚みが薄くなった側方部分の、上記カメラの前面と上記カメラの背面との間の上記前カバーの上面より突出した突出位置と上記カメラ本体に収納される収納位置とに移動可能なストロボ発光部と、
ｅ）上記ストロボ発光部を回動させて上記突出位置と上記収納位置とに位置させるため、上記撮影レンズの光軸と非平行で、かつ上記撮影レンズの光軸と直交する平面には含まれない回動軸と、
ｆ）上記ストロボ発光部を上記回動軸周りに回動させるために回転する上記レンズ鏡筒の回転枠と、
ｇ）上記ストロボ発光部を上記回動軸周りに回動させるために上記回転枠に連動するリフトレバーと、
ｈ）上記リフトレバーと上記ストロボ発光部との間に介在するチャージバネと、
を有することを特徴とするレンズ鏡筒を有するカメラ。
【発明の詳細な説明】
【０００１】
【発明の属する技術分野】
本発明はカメラに関する。
【０００２】
【従来の技術】
ストロボ発光部を有するカメラは従来より知られており、例えば特開平７−１９９２９５号公報はストロボ発光時に矩形形状のストロボ装置が、ストロボ発光の方向と直交するように設けられた回動軸を中心にしてポップアップするカメラを開示している。
【０００３】
しかし上記した特開平７−１９９２９５号公報では、正面から見て矩形形状のストロボ装置がポップアップするので見た目が良くないという欠点がある。
【０００４】
特開平７−６４１４２号公報は、正面からの見た目が良くなるように、ストロボ発光の方向と平行に設けられた回動軸を中心にしてカメラ正面から見て斜めにポップアップするカメラを開示している。しかしこのような構成では横方向のスペースが余分に必要になってしまう。
【０００５】
そこで、特開平８−２８６２４２号公報では、横方向のスペースを大きくすることなしにストロボ装置を斜めにポップアップするカメラを開示している。しかしながら、この先行技術ではリンク機構を用いているので、ポップアップ機構が複雑になってしまうという問題がある。
【０００６】
【発明が解決しようとする課題】
上記した先行技術はいずれも、正面からの見た目が良くない、横方向のスペースをとる、ポップアップ機構が複雑になる、といった問題があった。
【０００７】
本発明はこのような課題に着目してなされたものであり、その目的とするところは、正面からの見た目が良くかつ横方向のスペースをとらず、機構の簡単なストロボ発光部を有するカメラを提供することにある。
【０００８】
【課題を解決するための手段】
上記の目的を達成するために、本願の一態様に係る発明は、ａ）レンズ鏡筒を有するカメラにおいて、ｂ）上記カメラ上面よりみて上記カメラの側方に向かうにしたがって上記カメラの厚みが薄くなるカメラ本体と、ｃ）上記カメラの前面を構成する前カバーと、ｄ）上記カメラの厚みが薄くなった側方部分の、上記カメラの前面と上記カメラの背面との間の上記前カバーの上面より突出した突出位置と上記カメラ本体に収納される収納位置とに移動可能なストロボ発光部と、ｅ）上記ストロボ発光部を回動させて上記突出位置と上記収納位置とに位置させるため、上記撮影レンズの光軸と非平行で、かつ上記撮影レンズの光軸と直交する平面には含まれない回動軸と、ｆ）上記ストロボ発光部を上記回動軸周りに回動させるために回転する上記レンズ鏡筒の回転枠と、ｇ）上記ストロボ発光部を上記回動軸周りに回動させるために上記回転枠に連動するリフトレバーと、ｈ）上記リフトレバーと上記ストロボ発光部との間に介在するチャージバネと、を有し、レンズ鏡筒を有する。
【００１２】
【発明の実施の形態】
以下、図面を参照して本発明の実施形態を詳細に説明する。
【００１３】
図１は、ストロボ発光部を有する機器としてのカメラの外観を示す図であり、図１（Ａ）は上面図であり、図１（Ｂ）は正面図であり、図１（Ｃ）は側面図である。カメラの上面左側にはズームレバー１５、レリーズボタン１４が設けられ、上面右側には回動軸１６を中心にして回動可能な投光部としてのストロボ発光部を内部に配置したフラッシュケース１１が設けられている。また、カメラの前面には前カバー１２と、カメラ鏡筒を保護するためのバリア１３とが取り付けられるとともに、カメラの背面には後カバー１０が取り付けられている。図１はストロボ発光部がカメラ本体内の収納位置（第一の位置）に収納された状態を示している。
【００１４】
図１に示すように本実施形態では、ストロボ発光部を回動させるための回動軸１６を被写体と正対する平面に対して所定角度だけ傾斜させることにより、ストロボ発光の方向あるいは図示せぬ撮影レンズの光軸に非平行、かつ上記ストロボ発光の方向と直交する平面には含まれないように配置している。
【００１５】
図２は、バリア１３を左方にスライドさせて開放し、レンズ鏡筒１７を繰り出す動作に連動してストロボ発光部１８を上記回動軸に関し回動させて突出位置（第二の位置）にポップアップさせた状態を示す図である。図２の矢印（→）はポップアップ方向を示している。
【００１６】
図３（Ａ）、（Ｂ）は、図１，２におけるストロボ発光部１８を収納するフラッシュケース１１の周辺を拡大して示す図である。図３（Ａ）はストロボ発光部を収納した状態を示しており、回動軸１６は軸受部２０により支持され、当該軸受部２０はアーム部２１を介してフラッシュケース１１に連結している。図３（Ｂ）はストロボ発光部１８がポップアップした状態を示している。
【００１７】
図４（Ａ）は図２のＡ断面図であり、図４（Ｂ）は図２のＢ断面図である。同図に示すように回動軸の断面の位置は切断位置によって異なっており、回動軸１６が被写体と正対する平面に対して所定角度だけ傾斜していることを示している。フラッシュケース１１は回動軸１６を中心にして回動するが、このとき図４（Ｂ）のＢ断面におけるフラッシュケース先端は、図４（Ａ）のＡ断面におけるフラッシュケース先端より多く変位しフラッシュケース１１のポップアップの度合いは図４（Ｂ）のＢ断面の方が図４（Ａ）のＡ断面よりも大きくなるので、ストロボ発光部１８は図２に示すように全体として斜めにポップアップするようになっている。図４の矢印（→）はポップアップ方向を示している。
【００１８】
図５、図６、図７はストロボ発光部が駆動されてポップアップする原理を説明するための図であり、図５はカメラの正面図である。図６は図５のＤ−Ｄ断面図である。図７（Ａ）、図７（Ｂ）は図５のＣ断面図である。図７（Ａ）はフラッシュケース１１を収納した状態を示し、図７（Ｂ）はフラッシュケース１１をポップアップさせた状態を示している。
【００１９】
回動軸１６は軸受部２０を支持し、当該軸受部２０はフラッシュケース１１に連結されている。フラッシュケース１１の側面にはボス３４が設けられている。カメラ本体にはリフトレバー３８が取り付けられ、このリフトレバー３８にはボス３５が設けられている。リフトレバー３８の一部にはチャージバネ３３が設けられている。また、チャージバネ３３の一部は一対の足部３６、３７を構成している。前記したボス３４、３５はチャージバネ３３の足部３６、３７の内側に配置された構成となっている。ここで、リフトバネ３２はリフトレバー３８を反時計方向（下方向）に付勢しており、チャージバネ３３の足部３６はボス３４を下方に押圧、かつ、チャージバネ３３の足部３７はボス３５を上方に押圧してチャージバネ３３の足部３６、３７がボス３４、３５を挟み込むような力が加わっている。このようにしてフラッシュケース１１の収納状態を維持している。
【００２０】
上記した構成において、図２に示すようにバリア１３を開くとレンズ鏡筒１７が前面に押し出されるとともに回転枠３１が時計回りに回転する。このとき、回転枠３１の周囲部に設けられているポップアップカム３０によりリフトバー３８が押し上げられる（図７（Ｂ））。リフトバー３８が押し上げられると同時にボス３５が押し上げられるのでこれがチャージバネ３３の足部３６を押し上げる。これと連動してチャージバネ３３の足部３７がフラッシュケース１１のボス３４を押し上げるのでフラッシュケース１１が回動軸１６を中心にして回動してポップアップする。
【００２１】
図８は本発明のストロボ発光部を適用したカメラの一構成例を示す上断面図である。カメラの動作に必要な構成要素としてのレンズ鏡筒１０７、プリズム１００、接眼レンズ１０１、対物レンズ１０８等を図８に示すごとくカメラ外装１０２内に配置すると、従来の方法ではストロボ部を配置するためのスペースを確保するのが困難になるが、本願発明のストロボ装置では、被写体と正対する平面に対して所定角度だけ傾斜させて回動軸１６を配置してストロボ発光部をポップアップするようにしたのでカメラ外装１０２内の斜めのスペース、即ち、カメラ外装部１０２と回動軸１０３の間の三角状のスペースに、この場合だとファインダーの一部分を配置することが出来、そのスペースを有効に活用することができ、これによってカメラの他の部品の設計の自由度が大きくなる。
【００２２】
【発明の効果】
本発明によれば、正面からの見た目が良くかつ横方向のスペースをとらず、機構の簡単なレンズ鏡筒を有するカメラを提供することができる。
【図面の簡単な説明】
【図１】ストロボ発光部を有する機器としてのカメラの外観を示す図である。
【図２】バリア１３を開放してレンズ鏡筒１７を繰り出す動作に連動してストロボ発光部１８をポップアップさせた状態を示す図である。
【図３】ストロボ発光部１８を収納するフラッシュケース１１の周辺を拡大して示す図である。
【図４】（Ａ）は図２のＡ断面図であり、（Ｂ）は図２のＢ断面図である。
【図５】ストロボ発光部が駆動されてポップアップする原理を説明するためのカメラの正面図である。
【図６】図５のＤ−Ｄ断面図である。
【図７】図５のＣ断面図であり、（Ａ）はフラッシュケース１１を収納した状態を示し、（Ｂ）はフラッシュケース１１をポップアップさせた状態を示している。
【図８】本発明のストロボ発光部を適用したカメラの一構成例を示す上断面図である。
【符号の説明】
１０  後カバー
１１  フラッシュケース
１２  前カバー
１３  バリア
１４  レリーズボタン
１５  ズームボタン
１６  回動軸
１７  レンズ鏡筒
１８  ストロボ発光部
２０  軸受部
２１  アーム部
３０  ポップアップカム
３１  回転枠
３２  リフトバネ
３３  チャージバネ
３４  ボス
３５  ボス
３６  足部
３７  足部
３８  リフトレバー
１００  プリズム
１０１  接眼レンズ
１０２  カメラ外装
１０３  回動軸
１０４  フラッシュケース
１０５  キセノン管
１０６  反射傘
１０７  レンズ鏡筒
１０８  対物レンズ
【図１】
0004562886.tif 000002
【図２】
0004562886.tif 000003
【図３】
0004562886.tif 000004
【図４】
0004562886.tif 000005
【図５】
0004562886.tif 000006
【図６】
0004562886.tif 000007
【図７】
0004562886.tif 000008
【図８】
0004562886.tif 000009